(57)【要約】【課題】かつらベースを局所的に加熱して弛みや皺を伸ばすことができ、かつらベースや毛髪を痛めることなく、極めて容易にかつらベースを修理することが可能な、かつら用コンパクトアイロン及びアイロン受け台を提供する。【解決手段】かつらベースの皺を伸ばすためのかつら用のアイロン１であって、ヒータ２５及び温度制御部２４を内蔵する本体２０と、ヒータ２５によって加熱されるベース３０と、使用者が把持するための把持部１０と、を備え、ベース３０の表面は、その平面視における輪郭が曲線によって画定されるとともに、互いに直行するＸ軸方向に沿う曲率と、Ｙ軸方向に沿う曲率とが同じ凸状球面、又は前記Ｘ軸方向に沿う曲率とＹ軸方向に沿う曲率とが異なる凸状非球面となっており、かつらベースの約１／２以下の平面積を有する構成としてある。【選択図】図１
2014166214.tif 000002
【特許請求の範囲】
【請求項１】
かつらベースの皺を伸ばすためのかつら用のアイロンであって、
ヒータ及び温度制御部を内蔵する本体と、
前記ヒータによって加熱されるベースと、
使用者が把持するための把持部と、を備え、
前記ベースの表面は、
その平面視における輪郭が曲線によって画定されるとともに、
互いに直行するＸ軸方向に沿う曲率と、Ｙ軸方向に沿う曲率とが同じ凸状球面、又は前記Ｘ軸方向に沿う曲率とＹ軸方向に沿う曲率とが異なる凸状非球面となっており、
前記かつらベースの約１／２以下の平面積を有する、
ことを特徴とするかつら用コンパクトアイロン。
【請求項２】
前記ベースの表面が、前記かつらベースの約１／３以下の平面積を有する、請求項１に記載のかつら用コンパクトアイロン。
【請求項３】
前記ベースの表面を凸状非球面とする場合において、
前記Ｘ軸方向がアイロンの左右方向であり、前記Ｙ軸方向がアイロンの前後方向であり、前記ベースの表面における左右方向の曲率を、前後方向の曲率よりも大きくした、請求項１又は２に記載のかつら用コンパクトアイロン。
【請求項４】
前記ベースの加熱温度の上限を約１４０〜１５０℃の間に設定した、請求項１〜３のいずれか１項に記載のかつら用コンパクトアイロン。
【請求項５】
前記把持部の表面は、その平面視における輪郭が曲線によって画定されるとともに、互いに直行するＸ軸方向に沿う曲率と、Ｙ軸方向に沿う曲率とが異なる凸状非球面となっており、前記本体の上端部における断面積よりも大きい平面積を有し、前記本体の上端部から側方へ張り出す、請求項１〜４のいずれか１項に記載のかつら用コンパクトアイロン。
【請求項６】
前記把持部の平面視における輪郭が、アイロンの前方の曲率を後方の曲率よりも大きくした略卵形とした、請求項１〜５のいずれか１項に記載のかつら用コンパクトアイロン。
【請求項７】
前記本体の表面は、上端部から下端部までが連続して中央にくびれを有する凹曲面からなる、請求項１〜６のいずれか１項に記載のかつら用コンパクトアイロン。
【請求項８】
請求項１〜７のいずれか１項に記載したかつら用コンパクトアイロンとともに使用されるアイロン受け台であって、
前記かつらベースの表面形状に応じた曲面からなる凹部を有し、前記かつらベースの前後を基準として、前記凹部の前側を曲率の小さい浅い窪みとするとともに、後側を曲率の大きい深い窪みとし、これら浅い窪みと深い窪みとを連続させた、ことを特徴とするアイロン受け台。
【発明の詳細な説明】
【技術分野】
【０００１】
本発明は、かつらベースを局所的に加熱して弛みや皺を伸ばすことができ、かつらベースや毛髪を痛めることなく、極めて容易にかつらベースを修理することが可能な、かつら用コンパクトアイロン及びアイロン受け台に関する。
【背景技術】
【０００２】
例えば、本出願人の特許出願に係る特開２００９−９１６８５号公報（特許文献１）に示されているように、かつらは、網地状基布からなるかつらベースに、人毛又は人工毛からなる毛髪を植設した構成となっている。このようなかつらは、長期の使用にわたりブラッシング、洗浄、着脱などが繰り返されるため、かつらベースが弛んだり、皺になったりすることがある。
【０００３】
かつらベースに弛みや皺が生じた場合は、衣服などの生地のアイロンがけに用いられている通常のアイロンでは修復することができないため、かつらの使用者は、本出願人のようなかつらメーカにかつらを預けて修理を依頼していた。
【０００４】
かつらメーカは、修理の依頼があったかつらを、頭部形状の型に張設し、オーブンに入れて加熱することにより、かつらベースの弛みや皺を伸ばしていた（かつらベースのリ・モールド）。また、かつらメーカの店舗スタッフが、簡易的に、頭髪をカールさせるために用いられているパンチアイロンを、かつらベースにあてがって弛みや皺を伸ばす場合もあった。
【先行技術文献】
【特許文献】
【０００５】
【特許文献１】特開２００９−９１６８５号公報
【特許文献２】特表２００３−５３４８５５号公報
【特許文献３】特開平２−８００９５号公報
【特許文献４】特開昭６３−１８９２００号公報
【特許文献５】実開昭４８−５９５８９８号公報
【発明の概要】
【発明が解決しようとする課題】
【０００６】
近年、かつらを装着したときの外観及び装着感をより自然にするために、かつらベースの材料として、特に薄く繊細な網地状基布が用いられるようになっている。かつらベースの網地状基布が薄く繊細になるほど、かつらベースに弛みや皺が生じやすくなるという問題が生じた。
【０００７】
しかし、上述したかつらベースのリ・モールドは、毛髪を含むかつら全体をオーブンに入れて加熱する方法であるために、薄く繊細なかつらベースの網地状基布のみならず、これに植設した毛髪に対してもダメージを与えてしまうおそれがある。このため、オーブンを十分な温度まで上げて、確実に弛みや皺を伸ばすことが難しかった。
【０００８】
また、パンチアイロンを用いる方法では、かつらベースの湾曲面に棒状の加熱部を上手く当てることができず、伸ばした弛みや皺がすぐに戻ってしまい、一時的な応急措置にすぎなかった。
【０００９】
また、本出願人が事前調査したところ、衣服などの生地のアイロンがけに用いられている通常のアイロンにおいて、加熱部であるベースの表面を湾曲させたものが数件、特許出願されていた（特許文献２〜５）が、これらは単なるアイデアにすぎず、本発明の出願時において、ベースの表面を湾曲させた通常のアイロン、かつら専用のアイロンは存在しない。
【００１０】
本発明は、上記問題点に鑑みてなされたものであり、かつらベースを局所的に加熱して弛みや皺を伸ばすことができ、かつらベースや毛髪を痛めることなく、極めて容易にかつらベースを修理することが可能な、かつら用コンパクトアイロン及びアイロン受け台の提供を目的とする。
【課題を解決するための手段】
【００１１】
（１）上記目的を達成するために、本発明のかつら用コンパクトアイロンは、かつらベースの皺を伸ばすためのかつら用のアイロンであって、ヒータ及び温度制御部を内蔵する本体と、前記ヒータによって加熱されるベースと、使用者が把持するための把持部と、を備え、前記ベースの表面は、その平面視における輪郭が曲線によって画定されるとともに、互いに直行するＸ軸方向に沿う曲率と、Ｙ軸方向に沿う曲率とが同じ凸状球面、又は前記Ｘ軸方向に沿う曲率とＹ軸方向に沿う曲率とが異なる凸状非球面となっており、前記かつらベースの約１／２以下の平面積を有する構成としてある。
【００１２】
上記構成によれば、加熱部であるベースの表面を球面又は非球面とし、その平面積をかつらベースの約１／２以下にしたことにより、かつらベース裏側の種々の曲率の湾曲面に沿って弛みや皺を容易に延ばすことが可能である。
【００１３】
具体的には、ベースの表面を球面とした場合は、曲率の大きいかつらベース後側の湾曲面にベースを当てやすくなる。また、球面のベースは、かつらベース裏側との接触面積を小さくすることができるので、局所的な弛みや皺を伸ばすのに好適である。一方、ベースの表面を非球面とした場合は、非球面の曲率の異なる部分を利用して、かつらベース裏側の種々の曲率の湾曲面にベースを当てることが可能である。
【００１４】
（２）好ましくは、上述した本発明のかつら用コンパクトアイロンにおいて、前記ベースの表面が、前記かつらベースの約１／３以下の平面積を有する構成にするとよい。
【００１５】
本発明者が、鋭意検討した結果、加熱部であるベースの平面積は、一般的な大きさのかつらベースの約１／３以下とすると、かつらベース裏側の湾曲面内におけるベースの移動が極めて容易となり、アイロンがけがしやすくなる。但し、ベースの平面積が小さくなるほど、かつらベース裏側との接触面積が小さくなるので、弛みや皺を伸ばす観点からベースの平面積は、一般的な大きさのかつらベースの約１／３とすることが好ましい。
【００１６】
（３）好ましくは、上述した本発明のかつら用コンパクトアイロンにおいて、前記ベースの表面を凸状非球面とする場合に、前記Ｘ軸方向がアイロンの左右方向であり、前記Ｙ軸方向がアイロンの前後方向であり、前記ベースの表面における左右方向の曲率を、前後方向の曲率よりも大きくした構成にするとよい。
【００１７】
上記構成によれば、非球面のベースにおける前後、左右、中央の曲率の異なる部分を利用して、かつらベース裏側の種々の曲率の湾曲面にベースを当てることが可能となり、かつらベースの弛みや皺を効率よく伸ばすことができる。
【００１８】
（４）好ましくは、上述した本発明のかつら用コンパクトアイロンにおいて、前記ベースの加熱温度の上限を約１４０〜１５０℃の間に設定した構成にするとよい。
【００１９】
本発明者が、鋭意検討した結果、近年、約１４０〜１５０℃程度の温度であれば、かつらベースの材料が、薄く繊細なナイロン、ポリエステル製の網地状基布であっても、これを損傷させることなく、容易に弛みや皺を伸ばすことができる。特に、ベースの加熱温度の上限を、かつらベースを損傷させない温度に制限することで、かつらメーカの技術者のみならず、かつらの使用者でも、簡単にかつらベースの弛みや皺を伸ばすことが可能となる。
【００２０】
（５）好ましくは、上述した本発明のかつら用コンパクトアイロンにおいて、前記把持部の表面は、その平面視における輪郭が曲線によって画定されるとともに、互いに直行するＸ軸方向に沿う曲率と、Ｙ軸方向に沿う曲率とが異なる凸状非球面となっており、前記本体の上端部における断面積よりも大きい平面積を有し、前記本体の上端部から側方へ張り出す構成にするとよい。
【００２１】
上記（１）及び（２）で述べたとおり、本発明のかつら用コンパクトアイロンは、加熱部であるベースの平面積が、かつらベースの約１／２以下となっており、通常のアイロンと比較してかなり小さい。上記構成によれば、アイロン本体の上端部から側方へ張り出す把持部に指先を掛けることで、非常に小さな本コンパクトアイロンをしっかりと把持することが可能となる。また、把持部の表面の輪郭を曲線とし、かつ表面全体を凸状非球面としたことにより、把持部全体が掌に良好にフィットし、非常に小さな本コンパクトアイロンの操作が容易となる。
【００２２】
（６）好ましくは、上述した本発明のかつら用コンパクトアイロンにおいて、前記把持部の平面視における輪郭が、アイロンの前方の曲率を後方の曲率よりも大きくした略卵形とした構成にするとよい。
【００２３】
上記構成によれば、把持部の曲率の大きい前方を指先で掴むと、曲率の小さい後方に掌が載り、把持部全体が掌により良好にフィットする。この結果、非常に小さな本コンパクトアイロンの操作が更に容易となる。
【００２４】
（７）好ましくは、上述した本発明のかつら用コンパクトアイロンにおいて、前記本体の表面は、上端部から下端部までが連続して中央にくびれを有する凹曲面からなる構成にするとよい。
【００２５】
上記構成によれば、上記（５）及び（６）の把持部の形状が、アイロン本体の上端部から中央のくびれに至るまで連続し、把持部を掴んだときの指先で中央のくびれを把持することが可能となる。これにより、非常に小さな本コンパクトアイロンがより掴みやすくなり、操作が更に容易となる。
【００２６】
（８）上記目的を達成するために、本発明のアイロン受け台は、かつら用コンパクトアイロンとともに使用されるアイロン受け台であって、前記かつらベースの表面形状に応じた曲面からなる凹部を有し、前記かつらベースの前後を基準として、前記凹部の前側を曲率の小さい浅い窪みとするとともに、後側を曲率の大きい深い窪みとし、これら浅い窪みと深い窪みとを連続させた構成としてある。
【００２７】
上記構成によれば、かつらベースの表面形状に応じた曲面からなる凹部を設けたことにより、この凹部にかつらを載せて、かつらベースの裏面に本コンパクトアイロンを押し当てることで、かつらベースの弛みや皺を効率よく伸ばすことができるようになる。
【００２８】
また、本アイロン受け台は、曲率の小さい浅い窪みと、曲率の大きい深い窪みとの２種類の曲面形状を有するので、これら曲面形状を用いて、かつらベースを構成する様々な曲面形状に対応することが可能である。
【発明の効果】
【００２９】
本発明のかつら用コンパクトアイロン及びアイロン受け台によれば、かつらベースを局所的に加熱して弛みや皺を伸ばすことができ、かつらベースや毛髪を痛めることなく、極めて容易にかつらベースを修理することが可能となる。
【図面の簡単な説明】
【００３０】
【図１】本発明の第１実施形態に係るかつら用コンパクトアイロンを示す５面図であり、同図（ａ）は平面図、同図（ｂ）は正面図、同図（ｃ）は右側面図、同図（ｄ）は背面図、同図（ｅ）は底面図である。左側面図は、スイッチがない点を除いて右側面図と対称に表れるため、図示を省略する。
【図２】同図（ａ）は、上記かつら用コンパクトアイロンの内部構成を示す機能ブロック図である。同図（ｂ）は、上記かつら用コンパクトアイロンを構成するベースのＸ軸方向の曲率を示す部分拡大図である。同図（ｃ）は、上記ベースのＹ軸方向の曲率を示す部分拡大図である。
【図３】同図（ａ）は、上記ベースの寸法例を示す底面の概略図である。同図（ｂ）は、一般的なかつらベースの曲面形状を説明するための概略図である。
【図４】同図（ａ）、（ｂ）は、本発明の第２実施形態に係るかつら用コンパクトアイロンを示す正面図及び平面図である。同図（ｃ）、（ｄ）は、本発明の第３実施形態に係るかつら用コンパクトアイロンを示す正面図及び平面図である。同図（ｅ）は、本発明の第４実施形態に係るかつら用コンパクトアイロンを示す正面図である。
【図５】同図（ａ）、（ｂ）は、本発明の一実施形態に係るアイロン受け台を示す斜視図及び断面図である。同図（ｃ）、（ｄ）は、上記アイロン受け台を用いたかつらベースのアイロン掛け方法を説明するための概略図である。
【発明を実施するための形態】
【００３１】
＜第１実施形態＞
以下、本発明の第１実施形態に係るかつら用コンパクトアイロンについて、図１〜３を参照しつつ説明する。
【００３２】
＜＜全体構成＞＞
図１（ａ）〜（ｅ）において、本実施形態のかつら用コンパクトアイロン１は、上から順に把持部１０と、本体２０と、ベース３０とで構成されている。把持部１０及び本体２０は、耐熱性を有するプラスチックで一体成形してあり、ベース３０は、熱伝導性の良好な金属製、例えば、アルミニウム、ステンレス又は銅製にするとよい。好ましくは、ベース３０の金属表面を、例えば、テフロン（登録商標）、ボロン、セラミック、ニッケル等でコーティングして滑りを良好にするとよい。
【００３３】
図１（ａ）に示すように、把持部１０の上面には、電源のＯＮ／ＯＦＦを示す表示ランプ１１と、加熱温度調整用の操作部１２とが取り付けてある。本実施形態の操作部１２は、ダイヤル式となっており、ベース３０の加熱温度を「高」、「中」、「低」の３段階に調整することができるようになっている。
【００３４】
図１（ｃ）に示すように、本体２０の右側面には、電源のＯＮ／ＯＦＦ操作を行うための電源スイッチ２１が設けてある。また、同図（ｂ）〜（ｅ）に示すように、本体２０の左右側面の下端近傍には、略台形状の支持突起２２、２２がそれぞれ突設してある。この支持突起２２、２２を下に向けて、かつら用コンパクトアイロン１を図示しない作業台に載置することにより、加熱されたベース３０が作業台の載置面に接触しないようになっている。同図（ｄ）に示すように、本体２０の背面には、図示しない電源コードの取出部２３が一体成形してある。なお、本かつら用コンパクトアイロン１の電源は、コードから供給する構成に限定されるものではなく、充電池を内蔵してコードレスにすることも可能である。
【００３５】
図２（ａ）に示すように、本体２０内には、温度制御部２４及びヒータ２５が内蔵してある。温度制御部２４は、操作部１２及び図示しない電源コードに接続されており、操作部１２の温度設定に基づいてヒータ２５の加熱温度を制御する。本実施形態では、ヒータ２５の最大加熱温度を約１４０〜１５０℃に設定してある。ヒータ２５は、金属製のベース３０に接続してあり、温度制御部２４の制御に従って、ベース３０を設定温度に加熱する。
【００３６】
＜＜ベースの表面形状＞＞
図１（ｅ）に示すように、本実施形態のベース３０の表面は、その平面視における輪郭が曲線のみによって画定される楕円形となっている。また、本実施形態では、ベース３０の表面における、図２（ｂ）に示すＸ軸方向に沿う曲率と、同図（ｃ）に示すＹ軸方向に沿う曲率とを互いに異ならせ、ベース３０の表面が凸状非球面となるようにしてある。
【００３７】
ここで、本実施形態における「Ｘ軸方向」とは、かつら用コンパクトアイロン１の左右方向を意味し、「Ｙ軸方向」とは、かつら用コンパクトアイロン１の左右方向を意味する。本実施形態では、ベース３０の表面におけるＸ軸方向（左右方向）の曲率を、Ｙ軸方向（前後方向）の曲率よりも大きくしてある。図２（ｂ）、（ｃ）に示すように、本実施形態では、ベース３０の非球面を構成する曲率半径として、例えば、Ｘ軸方向（左右方向）の曲率半径をＲ５１．６、Ｙ軸方向（前後方向）の曲率半径をＲ１３５に設定してある。
【００３８】
＜＜ベースのサイズ＞＞
ベース３０の平面積は、図２（ｂ）に示すかつらベースＢの平面積の約１／２以下、好ましくは、１／３以下にするとよい。かつらベースＢ（図３（ｂ）を参照）の弛みや皺に対して、平面積の極めて小さいベース３０を押し当てることができ、局部的に力を加えて、かつらベースＢの裏側の種々の曲率の湾曲面に沿って弛みや皺を容易に延ばすことが可能となる。
【００３９】
ベース３０の寸法として、例えば、図３（ａ）に示すように、横最大幅を５０ｍｍ、前後最大幅を７０ｍｍ程度にするとよい。図３（ｂ）において、一般的なＬサイズのかつらベースＢは、横最大幅を１８０ｍｍ、前後最大幅を２２０ｍｍ程度であり、前側ほど曲率が小さく、比較的平坦な湾曲面となり、後側ほど曲率が大きく、比較的アールのきつい湾曲面となっている。ベース３０の寸法を、このような一般的なＬサイズのかつらベースＢの寸法の１／３程度の大きさとすれば、Ｓサイズ、Ｍサイズ、Ｌサイズなど、様々な寸法のかつらベースＢの種々の曲率の湾曲面に対応できるようになる。
【００４０】
＜＜把持部の表面形状＞＞
図１（ａ）〜（ｅ）に示すように、本実施形態の把持部１０の表面は、その平面視における輪郭が曲線のみによって画定されるとともに、本かつら用コンパクトアイロン１の前方の曲率を後方の曲率よりも大きくした略卵形となっている。
【００４１】
また、本実施形態では、把持部１０の表面における、図１（ｂ）に示すＸ軸方向（左右方向）に沿う曲率と、同図（ｃ）に示すＹ軸方向（前後方向）に沿う曲率とを異ならせた凸状非球面となっている。また、把持部１０は、本体２０の上端部における断面積よりも大きい平面積を有し、その縁部が本体２０の上端部から側方へ張り出している。
【００４２】
上述したように、本実施形態のかつら用コンパクトアイロン１は、加熱部であるベース３０の平面積が、かつらベースの約１／３程度となっており、通常のアイロンと比較してかなり小さい。そこで、把持部１０の表面形状を上記のとおりにすることで、本体２０の上端部から側方へ張り出す把持部に指先を掛けて、非常に小さな本コンパクトアイロン１をしっかりと把持することが可能となる。また、把持部１０の表面の輪郭を曲線とし、かつ表面全体を上記の凸状非球面としたことにより、把持部１０全体が掌に良好にフィットし、非常に小さな本コンパクトアイロン１の操作が容易となる。
【００４３】
＜＜本体の表面形状＞＞
図１（ｂ）〜（ｄ）に示すように、本実施形態の本体２０の表面は、上端部から下端部までが連続して中央にくびれ２０Ａを有する凹曲面からなっている。本体２０の表面形状を、中央にくびれ２０Ａを有する凹曲面としたことにより、把持部１０を掴んだときの指先で中央のくびれ２０Ａを把持することが可能となる。これにより、非常に小さな本アイロンがより掴みやすくなり、操作が更に容易となる。
【００４４】
＜その他の実施形態＞
本発明のかつら用コンパクトアイロンは、上述した第１実施形態の構成に限定されるものではない。例えば、加熱部であるベースの形状が、かつらベースの種々の曲率の湾曲面に対応可能なものであれば、図４（ａ）〜（ｅ）に示すような構成であってもよい。
【００４５】
＜＜第２実施形態＞＞
図４（ａ）、（ｂ）は、本発明の第２実施形態に係るかつら用コンパクトアイロンを示す正面図及び平面図である。これら図面に示すように、本コンパクトアイロン２のベース２Ｃは、その表面が、Ｘ軸方向（左右方向）に沿う曲率と、Ｙ軸方向（前後方向）に沿う曲率とが同じ半球状の凸状球面となっている。このようなベース２Ｃの上面には、段差状の本体２Ｂ及びグリップ２Ａが取り付けてある。
【００４６】
図４（ｃ）、（ｄ）は、本発明の第３実施形態に係るかつら用コンパクトアイロンを示す正面図及び平面図である。これら図面に示すように、本コンパクトアイロン３のベース３Ｃの表面は、その平面視における輪郭が曲線のみによって画定されるとともに、本コンパクトアイロン３の前方の曲率を後方の曲率よりも大きくした略卵形となっている。
【００４７】
このような略卵形の輪郭のベース３Ｃを採用することにより、曲率が大きく比較的尖っている先端部と、曲率が小さく比較的丸い後端部とを使い分けて、かつらベースの種々の曲率の湾曲面に対応することができる。
【００４８】
＜＜第３実施形態＞＞
図４（ｅ）は、本発明の第４実施形態に係るかつら用コンパクトアイロン４を示す正面図である。同図に示すように、本コンパクトアイロン４のベース４Ｃは、その表面が、Ｘ軸方向（左右方向）に沿う曲率と、Ｙ軸方向（前後方向）に沿う曲率とが同じ球状としてもよい。このような球状のベース４Ｃを採用することにより、その球面全体を使って、かつらベースの種々の曲率の湾曲面に対応することができる。
【００４９】
＜かつらのアイロン掛け方法＞
次に、本発明のかつら用コンパクトアイロン及び専用のアイロン受け台を用いた、かつらのアイロン掛け方法の一実施形態について、図５（ａ）〜（ｄ）を参照しつつ説明する。
【００５０】
＜＜アイロン受け台＞＞
図５（ａ）、（ｂ）において、本かつら用コンパクトアイロン（例えば、本コンパクトアイロン２〜４のいずれか）を用いて、かつらのアイロン掛けを行う場合は、専用のアイロン受け台５を用いることが好ましい。本実施形態に係るアイロン受け台５の中央には、図３（ｂ）に示すかつらベースＢの表面形状に応じた曲面からなる凹部５１が形成してある。この凹部５１は、かつらベースＢの前後を基準として、凹部５１の前側部分５１Ａを曲率の小さい浅い窪みとするとともに、後側部分５１Ｂを曲率の大きい深い窪みとし、これら浅い窪みと深い窪みとを連続させた構成となっている。
【００５１】
＜＜アイロン掛けの各工程＞＞
まず、アイロン掛けの対象となるかつら（図示せず）を綺麗に洗浄する。次いで、かつらをアイロン受け台５の凹部５１に、互いの前後の向きを揃えて載置する。そして、かつらベースＢの素材に応じて、かつら用コンパクトアイロン（２〜４のいずれか）の加熱温度（本実施形態の場合は「高」、「中」、「低」のいずれか）を設定し、電源をＯＮにしてベース（２Ｃ〜４Ｃのいずれか）を加熱する。例えば、かつらベースＢの素材がナイロンやポリエステルである場合は、「高」の約１４０〜１５０℃に設定する。
【００５２】
このようにして、ベース（２Ｃ〜４Ｃのいずれか）が設定温度に加熱されたならば、かつらベースＢに水又は成型剤を塗布又は噴霧し、弛みや皺の生じた箇所に、本コンパクトアイロン３のベース（２Ｃ〜４Ｃのいずれか）を数秒押し当てて弛みや皺を伸ばす。
【００５３】
このとき、図５（ｃ）に示すように、半球状又は球状のベース２Ｃ、４Ｃであれば、かつらベースＢの後側部分の大きい曲率の湾曲面に適合させやすい。一方、同図（ｄ）に示すように、略卵形のベース３Ｃであれば、該ベース３Ｃの比較的平坦な面で、かつらベースＢの前側部分の弛みや皺を伸ばし、該ベース３Ｃの比較的尖った先端部又は比較的丸い後端部で、かつらベースＢの後側部分の弛みや皺を伸ばすことができる。
【００５４】
一回のアイロン掛けで弛みや皺が解消しない場合は、水又は成型剤の塗布又は噴霧と、アイロン掛けとを繰り返し行って、弛みや皺を伸ばす。なお、本実施形態のアイロン掛けによって、かつらベースＢに植毛された図示しない毛髪の立ち上がりが潰れてしまった場合は、最後の仕上げにヘアセットを行う。
【００５５】
＜作用効果＞
＜＜かつら用コンパクトアイロンについて＞＞
上記構成からなる本実施形態のかつら用コンパクトアイロンによれば、加熱部であるベースの表面を球面又は非球面とし、その平面積をかつらベースの約１／３程度にしたことにより、かつらベース裏側の種々の曲率の湾曲面に沿って弛みや皺を容易に延ばすことが可能である。
【００５６】
具体的には、ベースの表面を球面とした場合は、曲率の大きいかつらベース後側の湾曲面にベースを当てやすくなる。また、球面のベースは、かつらベース裏側との接触面積を小さくすることができるので、局所的な弛みや皺を伸ばすのに好適である。一方、ベースの表面を非球面とした場合は、非球面の曲率の異なる部分を利用して、かつらベース裏側の種々の曲率の湾曲面にベースを当てることが可能である。
【００５７】
特に、加熱部であるベースの平面積は、一般的な大きさのかつらベースの約１／３以下とすると、かつらベース裏側の湾曲面内におけるベースの移動が極めて容易となり、アイロンがけがしやすくなる。
【００５８】
加熱部であるベースを非球面とした場合は、非球面のベースにおける前後、左右、中央の曲率の異なる部分を利用して、かつらベース裏側の種々の曲率の湾曲面にベースを当てることが可能となり、かつらベースの弛みや皺を効率よく伸ばすことができる。
【００５９】
加熱部であるベースの最大加熱温度を約１４０〜１５０℃程度に制限したことにより、かつらベースの材料が、薄く繊細なナイロン、ポリエステル製の網地状基布であっても、これを損傷させることなく、容易に弛みや皺を伸ばすことができる。特に、ベースの加熱温度の上限を、かつらベースを損傷させない温度に制限することで、かつらメーカの技術者のみならず、かつらの使用者でも、簡単にかつらベースの弛みや皺を伸ばすことが可能となる。
【００６０】
本実施形態のかつら用コンパクトアイロンは、加熱部であるベースの平面積が、かつらベースの約１／３程度となっており、通常のアイロンと比較してかなり小さいが、アイロン本体の上端部から側方へ張り出す把持部に指先を掛けることで、非常に小さな本コンパクトアイロンをしっかりと把持することが可能となる。また、把持部の表面の輪郭を曲線とし、かつ表面全体を凸状非球面としたことにより、把持部全体が掌に良好にフィットし、非常に小さな本コンパクトアイロンの操作が容易となる。
【００６１】
また、把持部の平面視における輪郭が、アイロンの前方の曲率を後方の曲率よりも大きくした略卵形としたことによって、把持部の曲率の大きい前方を指先で掴むと、曲率の小さい後方に掌が載り、把持部全体が掌により良好にフィットする。この結果、非常に小さな本コンパクトアイロンの操作が更に容易となる。
【００６２】
さらに、アイロン本体の表面を、上端部から下端部までが連続して中央にくびれを有する凹曲面としたことによって、把持部の形状が、アイロン本体の上端部から中央のくびれに至るまで連続し、把持部を掴んだときの指先で中央のくびれを把持することが可能となる。これにより、非常に小さな本コンパクトアイロンがより掴みやすくなり、操作が更に容易となる。
【００６３】
＜＜アイロン受け台について＞＞
上記構成からなる本実施形態のアイロン受け台によれば、かつらベースの表面形状に応じた曲面からなる凹部を設けたことにより、この凹部にかつらを載せて、かつらベースの裏面に本コンパクトアイロンを押し当てることで、かつらベースの弛みや皺を効率よく伸ばすことができるようになる。
【００６４】
また、本アイロン受け台は、曲率の小さい浅い窪みと、曲率の大きい深い窪みとの２種類の曲面形状を有するので、これら曲面形状を用いて、かつらベースを構成する様々な曲面形状に対応することが可能である。
【００６５】
なお、本発明のかつら用コンパクトアイロンの用途は、特に限定されるものではなく、上述したかつらベースの修理のほかに、例えば、抗菌防臭加工や制電加工などに用いられる各種機能性加工剤をかつらベースに塗布し、加熱定着させるといった加工用途に適用することも可能である。
【００６６】
また、本発明のかつら用コンパクトアイロンは、把持部を手で持って使用する態様に限らず、把持部を下向きにして、本コンパクトアイロンを上下逆に載置し、上向きにしたベースに、かつらベースの裏側を押し当てて使用してもよい。
【符号の説明】
【００６７】
１、２、３、４  かつら用コンパクトアイロン
１０、２Ａ、３Ａ、４Ａ  把持部
１１  表示ランプ
１２  操作部
２０、２Ｂ、３Ｂ、４Ｂ  本体
２０Ａ  くびれ
２１  電源スイッチ
２２  支持突起
２３  電源コード取出部
２４  温度制御部
２５  ヒータ
３０、２Ｃ、３Ｃ、４Ｃ  ベース
Ｂ  かつらベース
５  アイロン受け台
５１  凹部
５１Ａ  前側部分
５１Ｂ  後側部分
【図１】
2014166214.tif 000003
【図２】
2014166214.tif 000004
【図３】
2014166214.tif 000005
【図４】
2014166214.tif 000006
【図５】
2014166214.tif 000007